(57)【要約】【課題】色の対比効果を軽減することで、ユーザに与える色差の違和感を軽減することができる制御装置、点灯装置及び照明システムを提供する。【解決手段】制御装置１００は、周囲を照明する照明装置９０と、周囲を演出する光を出射する演出装置１０とを制御する。制御装置１００は、規定の色度範囲内に存在しない、照明装置９０が出射する第１の光の光色、及び、演出装置１０が出射する第２の光の光色が規定の色度範囲内に移動するように、照明装置９０、及び、演出装置１０の少なくとも一方から出射される光の光色を制御する制御部１１０を備える。【選択図】図４
2019096414.tif 000002
【特許請求の範囲】
【請求項１】
周囲を照明する照明装置と、周囲を演出する光を出射する演出装置とを制御する制御装置であって、
規定の色度範囲内に存在しない、前記照明装置が出射する第１の光の光色、及び、前記演出装置が出射する第２の光の光色の少なくとも一方が前記規定の色度範囲内に移動するように、前記照明装置、及び、前記演出装置の少なくとも一方から出射される光の光色を制御する制御部を備える
制御装置。
【請求項２】
前記制御部は、前記第１の光の光色を前記第２の光の光色に近づけるように、前記照明装置が出射する前記第１の光の光色を制御する
請求項１に記載の制御装置。
【請求項３】
前記演出装置の周囲には、複数の前記照明装置が配置され、
前記制御部は、前記演出装置からの距離が近い位置に配置されている前記照明装置ほど、前記第１の光の光色と前記第２の光の光色との色差が小さくなるように、前記照明装置が出射する前記第１の光の光色を制御する
請求項１又は２に記載の制御装置。
【請求項４】
前記第１の光の光色、及び、前記第２の光の光色をＣＩＥｘｙ色度座標で表した場合に、
前記制御部は、前記第１の光の光色を、近づける前の前記第１の光の光色が示すＣＩＥｘｙ色度座標内の位置を中心とした少なくともマクアダム楕円３−Ｓｔｅｐの範囲の外側に移動させ、
前記規定の色度範囲は、前記マクアダム楕円３−Ｓｔｅｐの範囲の外側である
請求項３に記載の制御装置。
【請求項５】
前記制御部は、前記第１の光の光色を、前記第２の光の光色が示すＣＩＥｘｙ色度座標内の位置を中心としたマクアダム楕円３−Ｓｔｅｐの範囲内に移動させる
請求項４に記載の制御装置。
【請求項６】
さらに、前記演出装置が演出する前記第２の光の光色を示す点灯データを格納する記憶部を備え、
前記制御部は、前記記憶部に格納された前記点灯データに応じて、前記照明装置が出射する前記第１の光の光色を制御する
請求項１〜５のいずれか１項に記載の制御装置。
【請求項７】
さらに、前記演出装置が出射する前記第２の光の光色を検知する検知部を備え、
前記制御部は、前記検知部が検知した前記第２の光の光色に応じて、前記照明装置が出射する前記第１の光の光色を制御する
請求項１〜６のいずれか１項に記載の制御装置。
【請求項８】
前記制御部は、前記第２の光の光色を前記第１の光の光色に近づけるように、前記演出装置が出射する前記第２の光の光色を制御する
請求項１に記載の制御装置。
【請求項９】
前記第１の光の光色、及び、前記第２の光の光色をＣＩＥｘｙ色度座標で表した場合に、
前記制御部は、前記第２の光の光色を、近づける前の前記第２の光の光色が示すＣＩＥｘｙ色度座標内の位置を中心とした少なくともマクアダム楕円３−Ｓｔｅｐの範囲の外側に移動させ、
前記規定の色度範囲は、前記マクアダム楕円３−Ｓｔｅｐの範囲の外側である
請求項８に記載の制御装置。
【請求項１０】
前記制御部は、前記第２の光の光色を、前記第１の光の光色が示すＣＩＥｘｙ色度座標内の位置を中心としたマクアダム楕円３−Ｓｔｅｐの範囲内に移動させる
請求項９に記載の制御装置。
【請求項１１】
さらに、前記照明装置が照明する前記第１の光の光色を示す点灯データを格納する記憶部を備え、
前記制御部は、前記記憶部に格納された前記点灯データに応じて、前記演出装置が出射する前記第２の光の光色を制御する
請求項１、２、８〜１０のいずれか１項に記載の制御装置。
【請求項１２】
さらに、前記照明装置が出射する前記第１の光の光色を検知する検知部を備え、
前記制御部は、前記検知部が検知した前記第１の光の光色に応じて、前記照明装置が出射する前記第２の光の光色を制御する
請求項１、２、８〜１１のいずれか１項に記載の制御装置。
【請求項１３】
請求項１〜１２のいずれか１項に記載の制御装置と、
前記照明装置又は前記演出装置として光を出射する光源とを備える
点灯装置。
【請求項１４】
照明装置と、
演出装置と、
前記照明装置及び前記演出装置を制御する、請求項１〜１２のいずれか１項に記載の制御装置とを備える
照明システム。
【発明の詳細な説明】
【技術分野】
【０００１】
本開示は、制御装置、点灯装置及び照明システムに関する。
【背景技術】
【０００２】
自動で調光する複数の照射ユニットと、雰囲気照明を行う演出用スポットライトとを配置し、演出用スポットライトの輝度を制御する人工天空の雰囲気照明機構が開示されている（例えば特許文献１参照）。演出用スポットライトには赤色、青色、白色のフィルタが被覆され、演出用スポットライトは赤色、青色及び白色の光を出射する。
【先行技術文献】
【特許文献】
【０００３】
【特許文献１】特開平４−１２１７７５号公報
【発明の概要】
【発明が解決しようとする課題】
【０００４】
このような人工天空の雰囲気照明機構では、照射ユニットが照射する光の光色と、演出用スポットライトが出射する光の光色との色差により、ユーザには、色の対比効果によって、実際の色と異なって見えてしまう。これにより、ユーザは、違和感を覚えてしまう。
【０００５】
そこで、本開示は、色の対比効果を軽減することで、ユーザに与える色差の違和感を軽減することができる制御装置、点灯装置及び照明システムに提供することを目的とする。
【課題を解決するための手段】
【０００６】
上記目的を達成するため、本開示の一態様に係る制御装置は、周囲を照明する照明装置と、周囲を演出する光を出射する演出装置とを制御する制御装置であって、規定の色度範囲内に存在しない、前記照明装置が出射する第１の光の光色、及び、前記演出装置が出射する第２の光の光色の少なくとも一方が前記規定の色度範囲内に移動するように、前記照明装置、及び、前記演出装置の少なくとも一方から出射される光の光色を制御する制御部を備える。
【０００７】
また、本開示の一態様に係る点灯装置は、制御装置と、前記照明装置又は前記演出装置として光を出射する光源とを備える。
【０００８】
また、本開示の一態様に係る照明システムは、照明装置と、演出装置と、前記照明装置及び前記演出装置を制御する、制御装置とを備える。
【発明の効果】
【０００９】
本開示によれば、色の対比効果を軽減することで、ユーザに与える色差の違和感を軽減することができる。
【図面の簡単な説明】
【００１０】
【図１】図１は、実施の形態１に係る照明システムを示す説明図である。
【図２】図２は、実施の形態１に係る照明システムを示すブロック図である。
【図３】図３は、実施の形態１に係る照明システムの演出装置を示す分解斜視図である。
【図４】図４は、実施の形態１に係る照明システムの演出装置及び照明装置が出射する光のＸＹＺ表色系のＣＩＥｘｙ色度座標を示す色度図である。
【図５】図５は、第１の光の光色が示すＣＩＥｘｙ色度座標内での移動を示す説明図である。
【図６】図６は、実施の形態１に係る照明システムの動作を示すフロー図である。
【図７】図７は、実施の形態１に係る照明システムの演出装置に映し出される映像の一例を示すイメージ図である。
【図８】図８は、実施の形態２に係る照明システムの演出装置及び照明装置が出射する光のＸＹＺ表色系のＣＩＥｘｙ色度座標を示す色度図である。
【図９】図９は、第２の光の光色が示すＣＩＥｘｙ色度座標内での移動を示す説明図である。
【図１０】図１０は、実施の形態２に係る照明システムの動作を示すフロー図である。
【図１１】図１１は、実施の形態３に係る照明システムを示すブロック図である。
【図１２】図１２は、実施の形態３に係る照明システムの動作を示すフロー図である。
【図１３】図１３は、変形例に係る照明システムを示す模式図である。
【発明を実施するための形態】
【００１１】
［概要］
人間は、一般的に、異なる補色同士の色を配色した場合に、補色対比の影響を受ける。補色対比とは、異なる補色同士を並べると、互いに彩度を強調し合い、あざやかさが増して見えることである。例えば、演出装置が出射する青色光と照明装置が出射する白色光とを並べて見た場合に、例えばユーザは、照明装置の白色光がオレンジ色に見えてしまうといったことが起こる。つまり、照明装置の白色光が実際よりも低色温度の光に見えてしまったり、演出装置の青色光の方が実際よりも高色温度の光に見えてしまったりといったことが起こる。これでは、ユーザに違和感を与えてしまう。
【００１２】
そこで、本開示では、色の対比効果を軽減することで、ユーザに与える色差の違和感を軽減する。
【００１３】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１４】
また、「略＊＊」との記載は、「略矩形状」を例に挙げて説明すると、完全な矩形状はもとより、実質的に矩形状と認められるものを含む意図である。
【００１５】
なお、各図は、模式図であり、必ずしも厳密に図示されたものではない。また、各図において、実質的に同一の構成に対しては同一の符号を付しており、重複する説明は省略又は簡略化する。
【００１６】
以下、本開示の実施の形態に係る制御装置、点灯装置及び照明システムについて説明する。
【００１７】
（実施の形態１）
［構成］
図１は、実施の形態１に係る照明システム１を示す説明図である。図２は、実施の形態１に係る照明システム１を示すブロック図である。図３は、実施の形態１に係る照明システム１の演出装置１０を示す分解斜視図である。図３では、収容部１２を省略している。
【００１８】
演出装置１０を平面視した見た場合の長手方向をＸ軸方向と規定し、例えば光反射部材３０及び光拡散板４０の並びをＺ軸方向と規定し、Ｘ軸方向及びＺ軸方向と直交する方向をＹ軸方向と規定し、Ｘ、Ｙ、Ｚの各方向を表示する。図１に示す各方向は、図２に示す各方向に対応させて表示する。
【００１９】
図１に示すように、本実施の形態に係る照明システム１は、ユーザに室内から窓を通して空を見るような感覚を疑似体験させることが可能な装置である。例えば、照明システム１は屋内に設置され、屋内の窓から、青空、曇り空、夕焼け空等といった自然の空を模した光を疑似的に演出するシステムである。
【００２０】
図１及び図２に示すように、照明システム１は、周囲を照明する複数の照明装置９０と、周囲を演出する光を出射する演出装置１０と、制御装置１００と、操作部１５０とを備える。本実施の形態では、照明システム１は、１台の演出装置１０と、複数の照明装置９０とが、天井等の造営材に配置されている。
【００２１】
［演出装置］
演出装置１０は、青空、曇り空、夕焼けといった自然の空を模した光を疑似的に演出することが可能である。演出装置１０は、青空、曇り空、夕焼け等の自然の空の動きを模した映像を表示する。演出装置１０は、この自然の空を模した映像の光によって周囲を照明することが可能である。演出装置１０は、制御装置１００に接続され、制御装置１００によって点灯、消灯、調光、及び調色等の動作が制御される。演出装置１０は、照明器具、プロジェクタ等である。ここでいう映像は、動画像であるが、静止画でもよい。演出装置１０は、点灯装置の一例である。
【００２２】
演出装置１０は、赤色光、青色光、黄色光、橙色光等の有彩色の光、及び白色光といった無彩色の光を出射することが可能である。演出装置１０は、有彩色の光に限定されず、黒体軌跡に沿った所定の色温度の範囲の光を出射することも可能である。
【００２３】
図１〜図３に示すように、演出装置１０は、筐体１１と、発光モジュール２０と、光反射部材３０と、光拡散板４０と、電源部６０とを備える。電源部６０、発光モジュール２０、光反射部材３０、光拡散板４０、及び筐体１１の枠部１３は、Ｚ軸プラス方向からＺ軸マイナス方向に向けてこの順で配置されている。Ｚ軸プラス方向は天井側であり、Ｚ軸マイナス方向は床面側である。
【００２４】
筐体１１は、発光モジュール２０と、光反射部材３０と、光拡散板４０と、電源部６０とを収容する収容体である。筐体１１は、扁平な箱体であり、平面視で略矩形状である。なお、筐体１１の形状は、略矩形状に限らず、略円形状、略多角形状、略半円状等の形状でもよく、形状は特に限定されない。
【００２５】
筐体１１は、例えば金属材料又は高い熱伝導性を有する非金属材料によって構成される。高い熱伝導性を有する非金属材料とは、例えば、熱伝導率が高い樹脂などである。筐体１１として熱伝導性の高い材料を用いることで、発光モジュール２０が発する熱を、筐体１１を介して外部に放熱することができる。なお、収容部１２と枠部１３とは、それぞれ別の材料で構成されていてもよい。
【００２６】
筐体１１は、収容部１２と、枠部１３とを有する。
【００２７】
収容部１２は、発光モジュール２０と、光反射部材３０と、光拡散板４０と、電源部６０とを収容する扁平な箱体である。なお、電源部６０は、収容部１２に収容されていなくてもよく、例えば筐体１１の外側に配置されていてもよい。
【００２８】
収容部１２には、Ｚ軸マイナス方向側の面に、発光モジュール２０が出射した光が通過する開口部１５が形成されている。開口部１５は、枠部１３及び光拡散板４０によって覆われている。収容部１２は、開口部１５を覆うように配置された光拡散板４０を収容する。開口部１５の大きさは、光拡散板４０に対応した大きさである。本実施の形態では、開口部１５の形状は、略矩形状である。
【００２９】
枠部１３は、光拡散板４０を固定する枠状の部材である。枠部１３は、収容部１２のＺ軸マイナス方向側の面の端縁に配置される。言い換えると、枠部１３は、収容部１２の開口部１５を囲むように、収容部１２のＺ軸マイナス方向側の面に配置される。枠部１３には、発光モジュール２０が出射した光が通過する開口部１６が形成されている。枠部１３は、平面視で略矩形状であるが、略矩形状に限らず、略円形状、略多角形状、略半円状等の形状でもよく、形状は特に限定されない。
【００３０】
枠部１３は、鍔部１３ａと、立ち上がり部１３ｂとを有する。演出装置１０は、鍔部１３ａが天井面と面一となるように天井に配置される。立ち上がり部１３ｂは、鍔部１３ａの内周である開口部１６の端部からＺ軸プラス方向に向かって略鉛直に立ち上がる壁である。立ち上がり部１３ｂは、光拡散板４０のＺ軸マイナス方向から、光拡散板４０を支持している。
【００３１】
なお、収容部１２と枠部１３とが一体的に形成され筐体１１を構成してもよいし、収容部１２と枠部１３とは別体であり、収容部１２と枠部１３とを接着することで筐体１１を構成してもよい。
【００３２】
発光モジュール２０は、光拡散板４０に映像を形成するための光を出射するモジュールである。発光モジュール２０は、Ｘ軸方向及びＹ軸方向で規定される平面に対して略平行に保持されている。
【００３３】
発光モジュール２０は、基板２３と、基板２３に実装された複数の発光素子２２とを有する。
【００３４】
基板２３は、複数の発光素子２２を実装するためのプリント配線基板であり、略矩形状に形成されている。基板２３としては、例えば、樹脂をベースとする樹脂基板、金属をベースとするメタルベース基板、セラミックからなるセラミック基板等を用いることができる。
【００３５】
発光素子２２は、Ｚ軸マイナス方向に向かって光を出射する姿勢で、基板２３に実装されている。発光素子２２は、基板２３のＺ軸マイナス方向側の面に複数実装されている。例えば、複数の発光素子２２は、基板２３に、行列状に配置されている。例えば、複数の発光素子２２はそれぞれ、基板２３に等間隔で配置されている。発光素子２２は、光源の一例である。
【００３６】
発光素子２２は、ＬＥＤ（Ｌｉｇｈｔ  Ｅｍｉｔｔｉｎｇ  Ｄｉｏｄｅ）素子で構成されている。本実施の形態では、発光素子２２は、青色光、緑色光及び赤色光を発光するＲＧＢタイプのＬＥＤ素子である。なお、ＬＥＤ素子は、ＳＭＤ（Ｓｕｒｆａｃｅ  Ｍｏｕｎｔ  Ｄｅｖｉｃｅ）型のＬＥＤ素子であってもよいし、ＣＯＢ（Ｃｈｉｐ  Ｏｎ  Ｂｏａｒｄ）型の発光素子２２であってもよい。発光素子２２は、ＲＧＢ３色に限られず、ＲＧＢＷ４色であってもよいし、ＢＷ２色（青白２色）であってもよい。
【００３７】
また、図示しないが、基板２３には、制御装置１００からの制御信号を伝送するための配線である信号線、及び電源部６０からの電力を供給するための配線である電力線が設けられている。例えば、信号線及び電力線は、複数の発光素子２２のそれぞれを直列に接続する。複数の発光素子２２のそれぞれは、電力線を介して電源部６０から電力の供給を受け、信号線からの制御信号に基づいて所定の光を発する。本実施の形態では、発光素子２２はＲＧＢタイプの素子であることから、青色光、緑色光及び赤色光の発光を制御することで様々な色の光を出射することができる。すなわち、制御装置１００によって各発光素子２２の発光を制御することで、例えば、青空、白雲、曇り空、夕空等の映像を示す光を出射することができる。
【００３８】
光反射部材３０は、筒状であり、少なくとも一部が発光モジュール２０及び光拡散板４０の間に配置されている。光反射部材３０は、発光モジュール２０から出射された光を反射する性質を有する光学部材である。具体的には、光反射部材３０は、発光モジュール２０から光反射部材３０の内側面に入射した光を、光拡散板４０側に反射する。内側面は、光反射部材３０及び発光モジュール２０側の面である。
【００３９】
光反射部材３０は、例えばアルミニウムなどの金属材料で形成され、内側面に鏡面処理又は光拡散処理が施されている。例えば、鏡面処理とは、ポリッシング処理又はラッピング処理である。例えば、光拡散処理とは、アルマイト処理などのつや消し処理である。なお、光拡散処理は、少なくとも光反射部材３０の内側面に施されていればよい。また、光反射部材３０は、必ずしも鏡面処理又は光拡散処理が施されている必要はなく、鏡面処理又は光拡散処理を施す前の無地素材であってもよい。
【００４０】
光拡散板４０は、光を透過及び拡散してＺ軸プラス方向側に出射する光学部材である。具体的には、光拡散板４０は、光拡散板４０のＺ軸プラス方向側の面である光入射面から入射した光を透過及び拡散し、光出射面から出射する拡散パネルである。光拡散板４０の形状は、枠部１３の開口部１６に対応した形状であり、平面視で略矩形状であるが、略矩形状に限らず、略円形状、略多角形状、略半円状等の形状でもよく、形状は特に限定されない。
【００４１】
光拡散板４０は、発光モジュール２０と対向するように発光モジュール２０よりもＺ軸マイナス方向側で、発光モジュール２０と略平行に配置されている。光拡散板４０は、平面視において矩形状の板材である。光拡散板４０は、枠部１３の開口部１６を覆っている。平面視において、光拡散板４０は、発光モジュール２０を覆うように、枠部１３に固定されている。このことから、光拡散板４０及び複数の発光素子２２を平面視した場合に、枠部１３の開口部１６の形状と、複数の発光素子２２が基板２３に配列された形状とが対応するように、略同一の形状となっている。
【００４２】
本実施の形態では、光拡散板４０は、枠部１３と光反射部材３０とで挟まれた状態で、収容部１２内に支持されている。なお、光拡散板４０は、枠部１３に固定されていてもよく、光反射部材３０に固定されていてもよく、本実施の形態には限定されない。
【００４３】
例えば、光拡散板４０は、透明なアクリル若しくはＰＥＴ（Ｐｏｌｙ  Ｅｔｈｙｌｅｎｅ  Ｔｅｒｅｐｈｔｈａｌａｔｅ）などの樹脂材料、又はガラスから構成された透明板に拡散加工が施されることで作製される。光拡散板４０が透明な材料から構成されることで、光拡散板４０は高い透過率を有する。例えば、光拡散板４０の全光線透過率は、８０％以上であり、より好ましくは９０％以上である。
【００４４】
拡散加工は、光拡散板４０の光入射面及び光出射面の少なくとも一方の面に施される。例えば、拡散加工として、微細なドット状の凹部からなるプリズムを形成するプリズム処理などがある。また、拡散加工は、プリズム処理に限定されず、シボ加工又は印刷により行われてもよい。
【００４５】
拡散加工が施された光拡散板４０のヘイズ値は、例えば１０％以上９０％以下である。ヘイズ値を１０％以上とすることで、光拡散板４０が透明な材料で構成されていても、ユーザから発光モジュール２０の発光素子２２が粒状に見えることを抑制できる。また、ヘイズ値を９０％以下とすることで、光拡散板４０に映し出される、映像の輪郭をある程度保てる。なお、ヘイズ値は、例えばプリズム処理により形成されるプリズムの形状及び大きさに応じて調整が可能である。映像の輪郭は、例えば、青空の中にある雲の輪郭である。
【００４６】
電源部６０は、商用電源から供給される交流電力を、整流、平滑及び降圧等して所定レベルの直流電力に変換し、当該直流電力を発光モジュール２０に供給する構成要素である。
【００４７】
［照明装置］
各々の照明装置９０は、演出装置１０の周囲に配置されている。照明装置９０の各々は、例えば、発光素子２２である光源と開口カバーとを有するダウンライトである。照明装置９０は、制御装置１００に接続されている。各々の照明装置９０は、制御装置１００によって点灯、消灯、調光、及び調色等の動作が制御される。各々の照明装置９０は、例えば、ダウンライト、シーリングライト等である。各々の照明装置９０は、点灯装置の一例である。
【００４８】
各々の照明装置９０は、黒体軌跡に沿った所定の色温度の範囲の光を出射することが可能である。このため、各々の照明装置９０は、赤色等の低色温度の光から高色温度の光も出射することが可能である。また、各々の照明装置９０は、色温度に限定されず、赤色光、青色光、黄色光、橙色光等の有彩色の光、及び白色光といった無彩色の光を出射することができてもよい。
【００４９】
［制御装置］
制御装置１００は、複数の照明装置９０、及び演出装置１０を制御する装置である。制御装置１００は、制御部１１０と、記憶部１２０とを備える。
【００５０】
制御部１１０は、演出装置１０の周囲に配置された各々の照明装置９０及び演出装置１０の点灯、消灯、調光、及び調色等の動作を制御する。制御部１１０は、演出装置１０から出射される光の光量の変化、色温度の変化又は分光分布の変化が所定範囲内となるように、演出装置１０の発光を制御する。また、制御部１１０は、各々の照明装置９０から出射される光の光量の変化、色温度の変化又は分光分布の変化も所定範囲内となるように、各々の照明装置９０の発光を制御する。ここでいう調色には、発光色又は色温度の調整等を含む。
【００５１】
制御部１１０は、記憶部１２０に格納された、各々の照明装置９０及び演出装置１０の各々の点灯シーンを示す点灯データを取得する。制御部１１０は、点灯データに応じて、各々の照明装置９０が出射する第１の光の光色を制御する。
【００５２】
また、制御部１１０は、点灯データに応じて、演出装置１０が出射する第２の光の光色を制御する。例えば、演出装置１０を制御する点灯データには、青空を映し出すデータ、白雲を映し出すデータ、曇り空を映し出すデータ、夕空を映し出すデータ、夕日を映し出すデータ等といった、自然の空を模した映像を示すデータが含まれる。各々のデータは、つまり、演出装置１０が所定の点灯態様で点灯する各々の点灯シーンを示す。例えば、演出装置１０に青空を映し出す場合に、制御部１１０は、青空を映し出す点灯データを記憶部１２０から取得し、取得した点灯データに応じて発光モジュール２０の複数の発光素子２２の発光を制御する。この複数の発光素子２２の発光により、光拡散板４０には、疑似的に演出された青空の映像が映し出される。
【００５３】
つまり、制御部１１０は、規定の色度範囲内に存在していない、各々の照明装置９０が出射する第１の光の光色、及び、演出装置１０が出射する第２の光の光色を規定の色度範囲内に移動するように、各々の照明装置９０、及び、演出装置１０の少なくとも一方から出射される光の光色を制御する。
【００５４】
本実施の形態では、制御部１１０は、各々の照明装置９０が出射する第１の光の光色と演出装置１０が出射する第２の光の光色との色差が、規定値よりも大きい場合、第１の光の光色を第２の光の光色に近づけるように、各々の照明装置９０が出射する第１の光の光色を制御する。
【００５５】
［規定の色度範囲］
以下、規定の色度範囲について説明する。
【００５６】
一般的に、ＣＩＥｘｙ色度図上で色覚正常者が色の違いを区別することができない範囲を等色実験の結果から示したマクアダム楕円が知られている。マクアダム楕円は、特定の中心色に対する識別変動の標準偏差をＣＩＥｘｙ色度図に表わす楕円である。このマクアダム楕円は、マクアダム楕円１−Ｓｔｅｐとも呼ばれている。
【００５７】
マクアダム楕円３−Ｓｔｅｐは、その楕円の短辺、及び長辺のそれぞれの長さ（標準偏差）が、マクアダム楕円１−Ｓｔｅｐにおけるそれぞれに対して３倍となる関係を示している。本実施の形態では、マクアダム楕円３−Ｓｔｅｐに相当する範囲を、色差があると認識できる限界である色の識別閾とする。
【００５８】
このことから、規定の色度範囲は、第１の光の光色を第２の光の光色に近づけ、かつ、第１の光の光色を、近づける前の第１の光の光色が示すＣＩＥｘｙ色度座標内の位置を中心とした少なくともマクアダム楕円３−Ｓｔｅｐの外側の範囲とした。少なくとも規定の色度範囲は、マクアダム楕円３−Ｓｔｅｐよりも大きい楕円であるが、例えばマクアダム楕円４−Ｓｔｅｐ等であってもよい。
【００５９】
より好ましい規定の色度範囲は、第１の光の光色を、第２の光の光色が示すＣＩＥｘｙ色度座標内の位置を中心としたマクアダム楕円３−Ｓｔｅｐの範囲である。
【００６０】
図４は、実施の形態１に係る照明システム１の演出装置１０及び各々の照明装置９０が出射する光のＸＹＺ表色系のＣＩＥｘｙ色度座標を示す色度図である。図４では、第１の光の光色Ｃ１を逆三角形で示し、第２の光の光色Ｃ２をアスタリスクで示し、無彩色を丸形で示す。第１の光の光色Ｃ１と第２の光の光色Ｃ２とは、無彩色Ｃ３を挟んで配置されている。
【００６１】
例えば、実線で示す第１の光の光色Ｃ１を、矢印の先の破線で示す第１の光の光色Ｃ１となるように、第１の光の光色Ｃ１を第２の光の光色Ｃ２に近づける。なお、図４で示す、第１の光の光色Ｃ１及び第２の光の光色Ｃ２の位置は一例であり、これに限定されない。
【００６２】
このように、第１の光の光色Ｃ１と第２の光の光色Ｃ２との対比効果により、互いに光の色を強く感じてしまうため、第１の光の光色Ｃ１を第２の光の光色Ｃ２に近づけることで、色の対比効果が軽減する。
【００６３】
以下、第１の光の光色Ｃ１を第２の光の光色Ｃ２に近づける場合について説明する。
【００６４】
図５は、第１の光の光色が示すＣＩＥｘｙ色度座標内での移動を示す説明図である。
【００６５】
図５の（ａ）では、第１の光の光色Ｃ１、及び、第２の光の光色Ｃ２をＣＩＥｘｙ色度座標で表した場合に、制御部１１０は、第１の光の光色Ｃ１を、近づける前の第１の光の光色Ｃ１が示すＣＩＥｘｙ色度座標内の位置を中心とした少なくともマクアダム楕円３−Ｓｔｅｐの範囲Ｍ１の外側に移動させる。本実施の形態では、制御部１１０は、実線で示す第１の光の光色Ｃ１を、黒体軌跡に沿って、マクアダム楕円３−Ｓｔｅｐの範囲Ｍ１の外側に位置する、破線で示す第１の光の光色Ｃ１に移動させる。この移動先が、規定の色度範囲内である。
【００６６】
図５の（ｂ）では、制御部１１０は、第１の光の光色を、第２の光の光色が示すＣＩＥｘｙ色度座標内の位置を中心としたマクアダム楕円３−Ｓｔｅｐの範囲Ｍ２内に移動させてもよい。図５の（ｂ）のように、本実施の形態では、実線で示す第１の光の光色Ｃ１を、マクアダム楕円３−Ｓｔｅｐの範囲Ｍ２内に位置する、破線で示す第１の光の光色Ｃ１に移動させてもよい。
【００６７】
図５の（ｂ）では、ユーザが弁別不可能又は弁別し難い範囲であるため、第１の光の光色と第２の光の光色との色の対比効果が軽減する。
【００６８】
また制御部が行う、第１の光の光色が規定の色度範囲内に存在しているか否かの判断は、例えば、点灯データに示される映像に含まれる、第１の光の光色と第２の光の光色との色差が規定値以下であるか否かで判断してもよい。つまり、色差が規定値よりも大きい場合は、第１の光の光色が規定の色度範囲内に存在していないことを示し、色差が規定値以下の場合は、第１の光の光色が規定の色度範囲内に存在していることを示す。
【００６９】
図１〜図３に示す制御装置１００の説明に戻る。制御部１１０は、映像の変化に応じて、各々の照明装置９０が出射する第１の光の光色を変化させるように制御する。例えば、制御部１１０は、青空を映し出した後に曇り空を映し出す場合、各々の照明装置９０が出射する第１の光の光色も映像の変化に応じて変化させる。一例を挙げると、制御部１１０は、青空を映し出す場合に第１の光の光色を第２の光の光色に近づける量よりも、曇り空を映し出す場合に第１の光の光色を第２の光の光色に近づける量の方を小さくする。
【００７０】
制御部１１０は、演出装置１０からの距離が近い位置に配置されている照明装置９０ほど、第１の光の光色と第２の光の光色との色差が小さくなるように、照明装置９０が出射する第１の光の光色を制御する。つまり、制御部１１０は、演出装置１０から第１の距離に配置されている照明装置９０が出射する第１の光の光色よりも、演出装置１０から第１の距離より近い第２の距離に配置されている照明装置９０が出射する第１の光の光色の方が、演出装置１０が出射する第２の光の光色に近くなるように、各々の照明装置９０を制御する。
【００７１】
例えば、複数の照明装置９０を造営材に設置する際に、ユーザが操作部１５０を介して、演出装置１０から各々の照明装置９０までの距離を記憶部１２０に入力しておいてもよい。制御部１１０は、記憶部１２０に格納された演出装置１０から照明装置９０までの距離に応じて、照明装置９０が出射する第１の光の光色を制御してもよい。
【００７２】
制御部１１０は、演出装置１０と信号線により電気的に接続されている。制御部１１０は、記憶部１２０から取得した点灯データに応じて、演出装置１０の青色ＬＥＤ、緑色ＬＥＤ及び赤色ＬＥＤのそれぞれの明るさに関する情報を含む制御信号を、信号線を介して演出装置１０の発光素子２２に出力する。制御信号を受信した発光素子２２は、当該制御信号に基づいて青色、緑色及び赤色を発光する。
【００７３】
制御部１１０は、例えば映像の動きが不自然にならないような時間間隔で、演出装置１０の発光モジュール２０に対して制御信号を出力する。これにより、例えば青空の中で雲が動いている映像などを表示する場合、より自然な動きを表示することができる。
【００７４】
記憶部１２０は、演出装置１０が演出する第２の光の光色の点灯シーンを示す点灯データを格納する。記憶部１２０は、不揮発性のメモリであってもよく、例えば、ＳＲＡＭ等の揮発性のメモリであってもよい。
【００７５】
［操作部］
操作部１５０は、制御装置１００に接続され、制御装置１００を介して、各々の照明装置９０及び演出装置１０を操作することが可能な操作端末である。操作部１５０は、例えば、タッチパネル、壁等に設置される操作ボタン、リモートコントローラ等である。ユーザは、操作部１５０を介して、記憶部１２０に格納されている点灯データを読み出してもよく、各々の照明装置９０及び演出装置１０を制御する点灯データを新たに設定することができてもよい。
【００７６】
［動作］
次に、制御装置１００、照明装置９０、演出装置１０及び照明システム１の動作について説明する。
【００７７】
図６は、実施の形態１に係る照明システム１の動作を示すフロー図である。
【００７８】
図６に示すように、例えば、ユーザの意図により演出装置１０に青空を表示させたい場合、制御装置１００の制御部１１０は、記憶部１２０から点灯データを取得する。制御部１１０は、点灯データの応じた点灯シーンで、各々の照明装置９０及び演出装置１０を点灯させる（Ｓ１）。この際に、例えば、制御部１１０は、光拡散板４０に表示される映像として、点灯データに応じた白雲と青空との面積比率となるように、発光モジュール２０の複数の発光素子２２の点灯を制御する。
【００７９】
次に、制御部１１０は、点灯データに基づいて、演出装置１０から出射された第２の光の光色が、規定の色度範囲外に存在しているか否かを判断する（Ｓ２）。
【００８０】
第２の光の光色が規定の色度範囲外に存在している場合（Ｓ２でＹＥＳ）、制御部１１０は、図５の（ａ）又は（ｂ）で示すように、各々の照明装置９０が出射する第１の光の光色を演出装置１０が出射する第２の光の光色に近づけるように、各々の照明装置９０を制御する（Ｓ３）。ここで、制御部１１０は、照明装置９０が演出装置１０から近ければ近いほど、第１の光の光色と第２の光の光色との色差を次第に小さくするように、各々の照明装置９０を制御する。また、制御部１１０は、演出装置１０からの距離が近い位置に配置されている照明装置９０ほど、この色差が小さくなるように照明装置９０を制御する。
【００８１】
一方、第２の光の光色が規定の色度範囲内に存在している場合（Ｓ２でＮＯ）、制御部１１０は、各々の照明装置９０が出射する第１の光の光色をそのままにする。このようにして、スタートに戻り、この照明システム１の動作を繰り返す。
【００８２】
［まとめ］
このような照明システム１では、制御装置１００の制御部１１０は、記憶部１２０に格納されている点灯データに応じて、演出装置１０の発光モジュール２０を制御する。これにより発光モジュール２０の発光素子２２が出射した光は、光反射部材３０で反射して光拡散板４０の光入射面に入射したり、光拡散板４０の光入射面に直接入射したりする。このような光は、光拡散板４０を透過及び拡散して、光拡散板４０の光出射面から出射する。
【００８３】
図７は、実施の形態１に係る照明システム１の演出装置１０に映し出される映像の一例を示すイメージ図である。図７の（ａ）及び図７の（ｂ）では、光拡散板４０から出射される光の光量の違いをドットの濃淡で示している。
【００８４】
図７の（ａ）に示すように、光拡散板４０には、１つの大きな白雲と背景である青空とが映し出されている。図７の（ｂ）に示すように、図７の（ａ）から所定時間経過した後の映像であり、光拡散板４０には曇り空が映し出されている。制御部１１０は、点灯データに応じて、白雲領域と青空領域との面積比率が所定の比率となるように、複数の発光素子２２を制御する。これにより、光拡散板４０には、点灯データに応じた映像が映し出される。このため、光拡散板４０には、点灯データに応じて、青空の濃淡の変化、白雲の移り変わりといった自然の空の映像が表示される。
【００８５】
また、制御装置１００の制御部１１０は、点灯データに基づいて、演出装置１０が出射する第２の光の光色が規定の色度範囲内に存在し、演出装置１０が出射する第２の光の光色が規定の色度範囲外に存在している場合、各々の照明装置９０が出射する第１の光の光色を演出装置１０が出射する第２の光の光色に近づけるように、各々の照明装置９０を制御する。
【００８６】
さらに、制御部１１０は、点灯データに応じて光拡散板４０に映し出された映像に応じて、各々の照明装置９０の点灯態様を変化させる。これにより、制御部１１０は、光拡散板４０に映し出された映像の変化に応じて、各々の照明装置９０が出射する第１の光の光色を変化させる。
【００８７】
さらに、制御部１１０は、各々の照明装置９０が演出装置１０から近ければ近いほど、第１の光の光色と第２の光の光色との色差を次第に小さくするように、各々の照明装置９０を制御する。これにより、演出装置１０が出射する第２の光の光色と、各々の照明装置９０が出射する第１の光の光色との色差が小さくなるため、照明システム１を見たユーザの違和感を軽減することができる。
【００８８】
［作用効果］
次に、本実施の形態おける制御装置１００、照明装置９０、演出装置１０及び照明システム１の作用効果について説明する。
【００８９】
上述したように、本実施の形態に係る制御装置１００は、周囲を照明する照明装置９０と、周囲を演出する光を出射する演出装置１０とを制御する。制御装置１００は、規定の色度範囲内に存在しない、照明装置９０が出射する第１の光の光色、及び、演出装置１０が出射する第２の光の光色が規定の色度範囲内に移動するように、照明装置９０、及び、演出装置１０の少なくとも一方から出射される光の光色を制御する制御部１１０を備える。
【００９０】
このように、制御部１１０は、規定の色度範囲内に存在しない、照明装置９０が出射する第１の光の光色、及び、演出装置１０が出射する第２の光の光色が規定の色度範囲内に移動するように、照明装置９０、及び、演出装置１０の少なくとも一方から出射される光の光色を制御する。このため、照明装置９０が出射する第１の光の光色と、演出装置１０が出射する第２の光の光色との色差によって、ユーザに与える違和感を軽減することができる。
【００９１】
したがって、この制御装置１００では、色の対比効果を軽減することで、ユーザに与える色差の違和感を軽減することができる。
【００９２】
また、本実施の形態に係る照明装置９０又は演出装置１０は、制御装置１００と、照明装置９０又は演出装置１０として光を出射する光源とを備える。
【００９３】
また、本実施の形態に係る照明システム１は、照明装置９０と、演出装置１０と、照明装置９０及び演出装置１０を制御する制御装置１００とを備える。
【００９４】
これらにおいても、上述と同様の作用効果を奏する。
【００９５】
また、本実施の形態に係る制御装置１００において、制御部１１０は、第１の光の光色を第２の光の光色に近づけるように、照明装置９０が出射する第１の光の光色を制御する。
【００９６】
このように、制御部１１０が第１の光の光色を第２の光の光色に近づけるため、ユーザに与える色差の違和感を軽減することができる。
【００９７】
また、演出装置９０の点灯シーンを制御することで、照明装置９０を制御するための点灯データを作る必要もない。
【００９８】
また、本実施の形態に係る制御装置１００において、演出装置１０の周囲には、複数の照明装置９０が配置されている。そして、制御部１１０は、演出装置１０からの距離が近い位置に配置されている照明装置９０ほど、第１の光の光色と第２の光の光色との色差が小さくなるように、照明装置９０が出射する第１の光の光色を制御する。
【００９９】
このように、制御部１１０は、演出装置１０からの距離が近い位置に配置されている照明装置９０ほど、第１の光の光色と第２の光の光色との色差が小さくなるように照明装置９０が出射する第１の光の光色を制御する。このため、演出装置１０と、演出装置１０に近い照明装置９０との色差が軽減されるため、演出装置１０と照明装置９０とによって生じた色差による違和感を軽減することができる。
【０１００】
また、演出装置１０から遠く離れた照明装置９０は、色差によって生じる違和感をユーザに与え難い。このため、制御部１１０は限られた範囲の照明装置９０を制御することで事足りる。その結果、この制御装置１００では、制御部１１０の処理の増大化を抑制することができる。
【０１０１】
また、本実施の形態に係る制御装置１００において、第１の光の光色、及び、第２の光の光色をＣＩＥｘｙ色度座標で表した場合に、制御部１１０は、第１の光の光色を、近づける前の第１の光の光色が示すＣＩＥｘｙ色度座標内の位置を中心とした少なくともマクアダム楕円３−Ｓｔｅｐの範囲の外側に移動させる。そして、規定の色度範囲は、マクアダム楕円３−Ｓｔｅｐの範囲の外側である。
【０１０２】
このように、制御部１１０は、図５の（ａ）で示すように、第１の光の光色を第２の光の光色に近づけるように、近づける前の第１の光の光色が示すＣＩＥｘｙ色度座標内の位置を中心とした少なくともマクアダム楕円３−Ｓｔｅｐの範囲の外側に移動させる。このため、ユーザは、第１の光の光色が変化して第２の光の光色に近づいたことを認識することができる。このため、ユーザに与える色差の違和感を軽減することができる。
【０１０３】
また、本実施の形態に係る制御装置１００において、制御部１１０は、第１の光の光色を、第２の光の光色が示すＣＩＥｘｙ色度座標内の位置を中心としたマクアダム楕円３−Ｓｔｅｐの範囲内に移動させる。
【０１０４】
このように、制御部１１０が第１の光の光色を、第２の光の光色が示すＣＩＥｘｙ色度座標内の位置を中心としたマクアダム楕円３−Ｓｔｅｐの範囲内に移動させることで、ユーザは、第１の光の光色と第２の光の光色とが同等の光色として認識することができる。このため、ユーザに与える色差の違和感を軽減することができる。
【０１０５】
また、本実施の形態に係る制御装置１００は、さらに、演出装置１０が演出する第２の光の光色を示す点灯データを格納する記憶部１２０を備える。そして、制御部１１０は、記憶部１２０に格納された点灯データに応じて、照明装置９０が出射する第１の光の光色を制御する。
【０１０６】
このように、制御部１１０は、点灯データに示される演出装置１０が演出する第２の光の光色に応じて、照明装置９０が出射する第１の光の光色を制御することができる。その結果、ユーザに与える色差の違和感を、簡易に軽減することができる。
【０１０７】
（実施の形態２）
［構成］
本実施の形態に係る制御装置１００、照明装置９０、演出装置１０及び照明システム１の構成について説明する。
【０１０８】
実施の形態１では照明装置９０が出射する第１の光の光色を演出装置１０が出射する第２の光の光色に近づけるが、本実施の形態では、演出装置１０が出射する第２の光の光色を照明装置９０が出射する第１の光の光色に近づける点で、実施の形態１と相違する。本実施の形態の制御装置１００、照明装置９０、演出装置１０及び照明システム１の構成は、特に明記しない場合は、実施の形態１と同様であり、同一の構成については同一の符号を付して構成に関する詳細な説明を省略する。
【０１０９】
本実施の形態では、照明装置９０が出射する第１の光の光色が規定の色度範囲内に存在し、演出装置１０が出射する第２の光の光色が規定の色度範囲内に存在していない場合、制御部１１０は、第２の光の光色を第１の光の光色に近づけるように、演出装置１０が出射する第２の光の光色を制御する。
【０１１０】
また、制御部１１０は、演出装置１０を制御するとともに、記憶部１２０に格納された点灯データに応じて、各々の照明装置９０が出射する第１の光の光色を制御する。つまり、制御部１１０は、第２の光の光色が規定の色度範囲内に存在していない場合、色差に応じて、演出装置１０が出射する第２の光の光色を制御する。
【０１１１】
制御部１１０は、演出装置１０からの距離が近い位置に配置されている照明装置９０ほど、第１の光の光色と第２の光の光色との色差が小さくなるように演出装置１０を制御する。つまり、制御部１１０は、演出装置１０から第１の距離に配置されている照明装置９０が出射する第１の光の光色よりも、演出装置１０から第１の距離より近い第２の距離に配置されている照明装置９０が出射する第１の光の光色の方に近くなるように、演出装置１０が出射する第２の光の光色を制御する。
【０１１２】
記憶部１２０は、照明装置９０が照明する第１の光の光色の点灯シーンを示す点灯データを格納する。
【０１１３】
図８は、実施の形態２に係る照明システム１の演出装置１０及び照明装置９０が出射する光のＸＹＺ表色系のＣＩＥｘｙ色度座標を示す色度図である。
【０１１４】
例えば、実線で示す第２の光の光色Ｃ２を、矢印の先の破線で示す第２の光の光色Ｃ２となるように、第２の光の光色を第１の光の光色に近づける。なお、図８で示す、破線の逆三角形の位置は一例であり、これに限定されない。
【０１１５】
このように、第２の光の光色Ｃ２と第１の光の光色Ｃ１との対比効果により、互いに光の色を強く感じてしまうため、第２の光の光色Ｃ２を第１の光の光色Ｃ１に近づけることで、色の対比効果が軽減する。
【０１１６】
図９は、第２の光の光色が示すＣＩＥｘｙ色度座標内での移動を示す説明図である。
【０１１７】
図９の（ａ）では、第１の光の光色Ｃ１、及び、第２の光の光色Ｃ２をＣＩＥｘｙ色度座標で表した場合に、制御部１１０は、第２の光の光色Ｃ２を、近づける前の第２の光の光色Ｃ２が示すＣＩＥｘｙ色度座標内の位置を中心とした少なくともマクアダム楕円３−Ｓｔｅｐの範囲Ｍ２の外側に移動させる。本実施の形態では、制御部１１０は、実線で示す第２の光の光色Ｃ２を、黒体軌跡に沿って、マクアダム楕円３−Ｓｔｅｐの範囲Ｍ２の外側に位置する、破線で示す第２の光の光色Ｃ２に移動させる。この移動先が、規定の色度範囲内である。
【０１１８】
図９の（ｂ）では、制御部１１０は、第２の光の光色を、第１の光の光色が示すＣＩＥｘｙ色度座標内の位置を中心としたマクアダム楕円３−Ｓｔｅｐの範囲Ｍ１内に移動させてもよい。図９の（ｂ）のように、本実施の形態では、実線で示す第２の光の光色Ｃ２を、マクアダム楕円３−Ｓｔｅｐの範囲Ｍ１内に位置する、破線で示す第２の光の光色Ｃ２に移動させてもよい。
【０１１９】
図９の（ｂ）では、ユーザが弁別不可能又は弁別し難い範囲であるため、第１の光の光色と第２の光の光色との色の対比効果が軽減する。
【０１２０】
［動作］
次に、制御装置１００、照明装置９０、演出装置１０及び照明システム１の動作について説明する。
【０１２１】
図１０は、実施の形態２に係る照明システム１の動作を示すフロー図である。図６と同一の動作についてはその説明を省略する。
【０１２２】
図１０に示すように、例えば、ユーザの意図により演出装置１０に青空を表示させたい場合、制御装置１００の制御部１１０は、記憶部１２０から点灯データを取得する。制御部１１０は、点灯データの応じた点灯シーンで、各々の照明装置９０及び演出装置１０を点灯させる（Ｓ１）。
【０１２３】
次に、制御部１１０は、点灯データに基づいて、演出装置１０から出射された第２の光の光色が、規定の色度範囲外に存在しているか否かを判断する（Ｓ２）。
【０１２４】
第２の光の光色が規定の色度範囲外に存在している場合（Ｓ２でＹＥＳ）、制御部１１０は、図９の（ａ）又は（ｂ）で示すように、演出装置１０が出射する第２の光の光色を各々の照明装置９０が出射する第１の光の光色に近づけるように、演出装置１０を制御する（Ｓ１３）。
【０１２５】
一方、第２の光の光色が規定の色度範囲内に存在している場合（Ｓ２でＮＯ）、制御部１１０は、演出装置１０が出射する第２の光の光色をそのままにする。このようにして、スタートに戻り、この照明システム１の動作を繰り返す。
【０１２６】
［作用効果］
次に、本実施の形態おける制御装置１００、照明装置９０、演出装置１０及び照明システム１の作用効果について説明する。
【０１２７】
上述したように、本実施の形態に係る制御装置１００において、制御部１１０は、第２の光の光色を第１の光の光色に近づけるように、演出装置１０が出射する第２の光の光色を制御する。
【０１２８】
このように、制御部１１０が第２の光の光色を第１の光の光色に近づけるため、ユーザに与える色差の違和感を軽減することができる。
【０１２９】
また、本実施の形態に係る制御装置１００において、第１の光の光色、及び、第２の光の光色をＣＩＥｘｙ色度座標で表した場合に、制御部１１０は、第２の光の光色を、近づける前の第２の光の光色が示すＣＩＥｘｙ色度座標内の位置を中心とした少なくともマクアダム楕円３−Ｓｔｅｐの範囲の外側に移動させる。そして、規定の色度範囲は、マクアダム楕円３−Ｓｔｅｐの範囲の外側である。
【０１３０】
このため、制御部１１０は、図９の（ａ）で示すように、第２の光の光色を第１の光の光色に近づけるように、近づける前の第２の光の光色が示すＣＩＥｘｙ色度座標内の位置を中心とした少なくともマクアダム楕円３−Ｓｔｅｐの範囲の外側に移動させる。このため、ユーザは、第２の光の光色が変化して第１の光の光色に近づいたことを認識することができる。このため、ユーザに与える色差の違和感を軽減することができる。
【０１３１】
また、本実施の形態に係る制御装置１００において、制御部１１０は、第２の光の光色を、第１の光の光色が示すＣＩＥｘｙ色度座標内の位置を中心としたマクアダム楕円３−Ｓｔｅｐの範囲内に移動させる。
【０１３２】
このように、制御部１１０が第２の光の光色を、第１の光の光色が示すＣＩＥｘｙ色度座標内の位置を中心としたマクアダム楕円３−Ｓｔｅｐの範囲内に移動させることで、ユーザは、第１の光の光色と第２の光の光色とが同等の光色として認識することができる。このため、ユーザに与える色差の違和感を軽減することができる。
【０１３３】
また、本実施の形態に係る制御装置１００は、さらに、照明装置９０が照明する第１の光の光色を示す点灯データを格納する記憶部１２０を備える。そして、制御部１１０は、記憶部１２０に格納された点灯データに応じて、演出装置１０が出射する第２の光の光色を制御する。
【０１３４】
このように、制御部１１０は、点灯データに示される照明装置９０が演出する第１の光の光色に応じて、演出装置１０が出射する第２の光の光色を制御することができる。その結果、ユーザに与える色差の違和感を、簡易に軽減することができる。
【０１３５】
本実施の形態における他の作用効果についても、実施の形態１と同様の作用効果を奏する。
【０１３６】
（実施の形態３）
［構成］
本実施の形態に係る制御装置２０１、照明装置９０、演出装置１０及び照明システム２００の構成について説明する。
【０１３７】
図１１は、実施の形態３に係る照明システム２００を示すブロック図である。
【０１３８】
図１１に示すように、本実施の形態では、照明システム２００が検知部２４０を有している点で実施の形態１と相違する。本実施の形態の制御装置２０１、照明装置９０、演出装置１０及び照明システム２００の構成は、特に明記しない場合は、実施の形態１等と同様であり、同一の構成については同一の符号を付して構成に関する詳細な説明を省略する。
【０１３９】
照明システム２００は、複数の照明装置９０、演出装置１０、及び、制御装置２０１の他に、検知部２４０を備えている。本実施の形態では、制御装置２０１が検知部２４０を有している。なお、検知部２４０は、照明装置９０及び演出装置１０が備えていてもよい。また、検知部２４０は、各々の照明装置９０、演出装置１０、及び、制御装置２０１とは別に設けられ、照明システム２００の１つの機器を構成してもよい。
【０１４０】
検知部２４０は、各々の照明装置９０が出射する第１の光の光色を検知したり、演出装置１０が出射する第２の光の光色を検知したりする。検知部２４０は、例えば互いに異なる色を検知するための複数種類の光電変換素子を有する。検知部２４０は、これら複数種類の光電変換素子のそれぞれの出力をそのまま用いる又は増幅することにより、各々の照明装置９０が出射する第１の光の光色を検知した検知信号を生成したり、演出装置１０が出射する第２の光の光色を検知した検知信号を生成したりする。検知部２４０は、生成した検知信号を制御部１１０に出力する。検知部２４０は、例えば、色度計、色彩照度計等である。
【０１４１】
第１の光色を第２の光色に近づける場合、制御部１１０は、検知信号を検知部２４０から取得すると、検知信号に示される演出装置１０が出射した第２の光の光色に応じて、各々の照明装置９０が出射する第１の光の光色を制御する。
【０１４２】
また、他の一例として、制御部１１０は、検知信号が示す第２の光の光色と、第１の光の光色との色差を算出し、色差が規定値以下であるか否かを判断してもよい。この場合、制御部１１０は、色差が規定値以下である場合に、第１の光の光色を第２の光の光色に近づけるように、各々の照明装置９０が出射する第１の光の光色を制御する。
【０１４３】
第２の光色を第１の光色に近づける場合、制御部１１０は、検知信号を検知部２４０から取得すると、検知信号に示される各々の照明装置９０が出射した第１の光の光色に応じて、演出装置１０が出射する第２の光の光色を制御する。
【０１４４】
また、他の一例として、制御部１１０は、検知信号が示す第１の光の光色と、第２の光の光色との色差を算出し、色差が規定値以下であるか否かを判断してもよい。この場合、制御部１１０は、色差が規定値よりも大きい場合に、第２の光の光色を第１の光の光色に近づけるように、演出装置１０が出射する第２の光の光色を制御する。
【０１４５】
［動作］
次に、制御装置２０１、照明装置９０、演出装置１０及び照明システム２００の動作について説明する。
【０１４６】
図１２は、実施の形態３に係る照明システム２００の動作を示すフロー図である。図１２と同一の動作についてはその説明を省略する。
【０１４７】
図１２に示すように、例えば、ユーザの意図により演出装置１０に青空を表示させたい場合、制御装置２０１の制御部１１０は、記憶部１２０から点灯データを取得する。制御部１１０は、点灯データの応じた点灯シーンで、各々の照明装置９０及び演出装置１０を点灯させる（Ｓ１）。
【０１４８】
次に、制御部１１０は、検知部２４０から、各々の照明装置９０が出射する第１の光の光色、又は、演出装置１０が出射する第２の光の光色を示す検知信号を取得する（Ｓ２２）。
【０１４９】
次に、制御部１１０は、検知信号に示される、第１の光の光色又は第２の光の光色に応じて、第１の光の光色又は第２の光の光色が規定の色度範囲外に存在しているか否かを判断する（Ｓ２）。
【０１５０】
第１の光の光色又は第２の光の光色が規定の色度範囲外に存在している場合（Ｓ２でＹＥＳ）、制御部１１０は、各々の照明装置９０が出射する第１の光の光色を演出装置１０が出射する第２の光の光色に近づけるように、演出装置１０を制御、又は、演出装置１０が出射する第２の光の光色を各々の照明装置９０が出射する第１の光の光色に近づけるように各々の照明装置９０を制御する（Ｓ２３）。
【０１５１】
一方、第１の光の光色又は第２の光の光色が規定の色度範囲内に存在している場合（Ｓ２でＮＯ）、制御部１１０は、各々の照明装置９０が出射する第１の光の光色、又は演出装置１０が出射する第２の光の光色をそのままにする。このようにして、スタートに戻り、この照明システム２００の動作を繰り返す。
【０１５２】
［作用効果］
次に、本実施の形態おける制御装置２０１、照明装置９０、演出装置１０及び照明システム２００の作用効果について説明する。
【０１５３】
上述したように、本実施の形態に係る制御装置２０１は、さらに、演出装置１０が出射する第２の光の光色を検知する検知部２４０を備える。そして、制御部１１０は、検知部２４０が検知した第２の光の光色に応じて、照明装置９０が出射する第１の光の光色を制御する。
【０１５４】
このように、演出装置１０が出射する第２の光の光色を、検知部２４０が検知するため、制御部１１０は、第２の光の光色と第１の光の光色との色差を精度よく算出することができる。このため、制御部１１０は、第２の光の光色と第１の光の光色とを規定の色度範囲内に収めることができる。つまり、第２の光の光色と第１の光の光色との色差を、規定値以下にすることができる。このため、この制御装置２０１では、ユーザに与える色差の違和感を軽減することができる。
【０１５５】
また、本実施の形態に係る制御装置２０１は、さらに、照明装置９０が出射する第１の光の光色を検知する検知部２４０を備える。そして、制御部１１０は、検知部２４０が検知した第１の光の光色に応じて、照明装置９０が出射する第２の光の光色を制御する。
【０１５６】
このように、照明装置９０が出射する第１の光の光色を検知部２４０が検知するため、制御部１１０は、第１の光の光色と第２の光の光色との色差を精度よく算出することができる。このため、制御部１１０は、第１の光の光色と第２の光の光色とを規定の色度範囲内に収めることができる。つまり、第１の光の光色と第２の光の光色との色差を、規定値以下にすることができる。このため、この制御装置２０１では、色差の違和感を軽減することができる。
【０１５７】
本実施の形態における他の作用効果についても、実施の形態１等と同様の作用効果を奏する。
【０１５８】
（その他変形例等）
以上、本開示について、実施の形態１〜３に基づいて説明したが、本開示は、上記実施の形態１〜３に限定されるものではない。
【０１５９】
例えば、上記実施の形態１〜３に係る制御装置、点灯装置及び照明システムにおいて、制御装置は、演出装置に設けられていてもよく、照明装置に設けられていてもよく、演出装置及び照明装置とは別の装置として設けられていてもよい。
【０１６０】
また、上記実施の形態１又は３に係る制御装置、点灯装置及び照明システムにおいて、図１３では、演出装置１０がプロジェクタの場合を例示している。図１３は、変形例に係る照明システムを示す模式図である。図１３では、複数の照明装置９０が点灯し、かつ、演出装置１０が壁に向けて映像を映し出している様子を示している。この場合では、制御装置は、映像が映し出されている壁の対象面に近い照明装置９０ほど、規定の色度範囲内に存在するように、照明装置９０が出射する第１の光の光色を制御する。
【０１６１】
また、上記実施の形態、及び実施の形態の変形例１、２に係る点灯装置及び照明システムにおいて、複数の照明装置は、演出装置の筐体に収容されていてもよい。この場合、枠部の鍔部に各々の照明装置が固定されていてもよい。
【０１６２】
また、上記実施の形態１又は３に係る制御装置、点灯装置及び照明システムにおいて、操作部と制御装置とは、有線で接続されているが、無線で接続されていてもよい。この場合、操作部及び制御装置は、互いに通信することが可能な通信部を備えていてもよい。
【０１６３】
また、上記実施の形態１〜３に係る制御装置、点灯装置及び照明システムに含まれる各処理部は典型的に集積回路であるＬＳＩとして実現される。これらは個別に１チップ化されてもよいし、一部又は全てを含むように１チップ化されてもよい。
【０１６４】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１６５】
なお、上記各実施の形態１〜３において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【０１６６】
また、上記で用いた数字は、全て本開示を具体的に説明するために例示するものであり、本開示の実施の形態は例示された数字に制限されない。
【０１６７】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１６８】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【０１６９】
その他、実施の形態１〜３に対して当業者が思いつく各種変形を施して得られる形態、本開示の趣旨を逸脱しない範囲で実施の形態１〜３における構成要素及び機能を任意に組み合わせることで実現される形態も本開示に含まれる。
【符号の説明】
【０１７０】
１、２００  照明システム
１０  演出装置（点灯装置）
２２  発光素子（光源）
９０  照明装置（点灯装置）
１００、２０１  制御装置
１１０  制御部
１２０  記憶部
２４０  検知部
【図１】
2019096414.tif 000003
【図２】
2019096414.tif 000004
【図３】
2019096414.tif 000005
【図４】
2019096414.tif 000006
【図５】
2019096414.tif 000007
【図６】
2019096414.tif 000008
【図７】
2019096414.tif 000009
【図８】
2019096414.tif 000010
【図９】
2019096414.tif 000011
【図１０】
2019096414.tif 000012
【図１１】
2019096414.tif 000013
【図１２】
2019096414.tif 000014
【図１３】
2019096414.tif 000015